(57)【要約】  リンク機構によって昇降する歯科用椅子において操作しやすい歯科用椅子フットスイッチ、および、歯科用椅子を提供する。  解決手段  歯科用椅子（１０）は、設置面に設置される基台部（１１）と、この基台部（１１）に連結された脚部（１４）と、この脚部（１４）が倒れることで下降し、起きることで上昇する椅子部（１５）と、歯科用フットスイッチ（２７）とを有している。歯科用フットスイッチ（２７）は、歯科用椅子（１０）における基台部１１の後方端であって、椅子部（１５）が最下方に下降して倒れた状態の脚部（１４）の後方において板状基台部（１２）の一部として構成されている。
2020039585.tif 000002
【特許請求の範囲】
【請求項１】
設置面に設置される基台部と、
この基台部に連結されて設置面に向けて倒れ、または、起きる脚部と、
この脚部に連結されて前記脚部が倒れることで下降し、または、前記脚部が起きることで上昇する椅子部と、を有する歯科用椅子の状態を変化させる歯科用椅子フットスイッチであって、
倒れた前記脚部の周囲において前記基台部の一部に形成された、
ことを特徴とする歯科用椅子フットスイッチ。
【請求項２】
前記基台部のうち、前記脚部が倒れる側である後方の端部に配置された、
ことを特徴とする請求項１に記載された歯科用椅子フットスイッチ。
【請求項３】
前記椅子部の幅方向に向けて長手の本体部と、
当該本体部の長手方向に並べて配置された複数の操作部と、を有し、
前記操作部の少なくとも一つがジョイスティック式である、
ことを特徴とする請求項１または請求項２に記載された歯科用椅子フットスイッチ。
【請求項４】
前記本体部が、
前記基台部に対して着脱されるカバー部と、
このカバー部に覆われ、前記操作部と連動する前記歯科用椅子の動作を選択するための選択手段と、を有する、
ことを特徴とする請求項３に記載された歯科用椅子フットスイッチ。
【請求項５】
請求項１から請求項４のいずれか１項に記載された歯科用椅子フットスイッチを有する、
ことを特徴とする歯科用椅子。
【発明の詳細な説明】
【技術分野】
【０００１】
本開示は、歯科診療施設の歯科用椅子、および、この歯科用椅子に備えられる歯科用椅子フットスイッチに関するものである。
【背景技術】
【０００２】
従来、歯科医院などの歯科診療施設に備えられた歯科用椅子は、例えば、昇降する動作や、背もたれを倒す動作、または、起こす動作などを実行するための操作部を有している。操作部は、例えば、歯科用椅子の周囲に配置されたドクターテーブルやパネルに備えられている他、歯科医師や歯科衛生士など（以下、歯科医師や歯科衛生士を「施術者」と記す。）が足で操作することができるフットスイッチなどがある。【０００３】
例えば、下記特許文献１に記載された歯科用椅子は、座部、背もたれ、レッグレストおよびフットレストの各部材が連結されたものであって、座部の下部に昇降装置が連結され、この昇降装置が、設置面に設置された基台に連結されている。フットスイッチは、施術者が施術中に操作し易い位置として、背もたれの背面側、かつ、昇降装置の後方において、基台に備えられている。【０００４】
下記特許文献２に記載された歯科用椅子は、座部とレッグレストとが一体で形成され、被施術者が予め脚を伸ばした姿勢で着座するものであるため、特許文献１に記載された歯科用椅子（以下、「垂直式歯科用椅子」と記す。）と同様の昇降装置で昇降させることはできない。すなわち、特許文献２に記載された歯科用椅子（以下、「リンク式歯科用椅子」と記す。）は、予め座部から伸びたレッグレストと倒れた背もたれとの重量のバランスをとる都合上、さらに、倒れた背もたれと設置面との間に、施術者が脚を入れる空間を確保する都合上、リンク機構などを用いて昇降させる必要がある。リンク機構は、歯科用椅子の下部に連結された脚部に備えられ、脚部は、設置面に設置された基台に連結されている。フットスイッチは別途用意された有線式であり、設置面の任意の位置に置かれている。【０００５】
上記したとおり、いずれの歯科用椅子も昇降するが、椅子の構造や昇降するための機構が異なることから、フットスイッチの配置や種類が、歯科用椅子ごとに異なる。
【先行技術文献】
【特許文献】
【０００６】
【特許文献１】特開２０１５−６６０８１号公報
【特許文献２】特開２００２−３２０６２７号公報
【発明の概要】
【発明が解決しようとする課題】
【０００７】
垂直式歯科用椅子は、垂直に昇降するため、この昇降装置と、基台に備えられたフットスイッチとが干渉することはない。一方で、リンク式歯科用椅子は、下降する際、脚部が設置面に向けて倒れるため、フットスイッチの配置として、垂直式歯科用椅子にあるような場所が存在しない。すなわち、リンク式歯科用椅子において、仮に、背もたれの背面側であって、脚部の周囲にフットスイッチが配置されたとすれば、設置面に向けて倒れる脚部とフットスイッチとが干渉する。したがって、一般的に、リンク式歯科用椅子は、有線式または無線式のフットスイッチが別途用意され、フットスイッチは、脚部と干渉しない位置に配置される。【０００８】
垂直式歯科用椅子のフットスイッチは、基台に備えられているため、様々な種類のものが採用される。例えば、ジョイスティック式であれば、操作スティックが水平に配置されることで、操作スティックの傾倒方向と垂直式歯科用椅子の昇降方向とが一致するため、施術者は、操作に基づく垂直式歯科用椅子の動作を観念し易い。すなわち、操作スティックを上向きに倒せば、垂直式歯科用椅子が上昇し、操作スティックを下向きに倒せば、垂直式歯科用椅子が下降する。一方で、リンク式歯科用椅子のフットスイッチは、別途用意されて設置面の任意の位置に置かれるため、ジョイスティック式は採用するべきではない。すなわち、仮に、ジョイスティック式のフットスイッチが設置面に置かれた場合、操作スティックが垂直に配置されるため、操作による操作スティックの傾倒に伴ってフットスイッチ自体が設置面に対して不本意に移動する場合がある。また、操作スティックの傾倒方向とリンク式歯科用椅子の昇降方向とが一致しないため、施術者は、操作に基づくリンク式歯科用椅子の動作を観念し難い。【０００９】
本開示は、上記の実情に鑑みて提案されたものである。すなわち、リンク機構によって昇降する歯科用椅子において操作しやすい歯科用椅子フットスイッチ、および、この歯科用椅子フットスイッチが備えられた歯科用椅子の提供を目的とする。
【課題を解決するための手段】
【００１０】
上記目的を達成するために、本開示に係る歯科用椅子フットスイッチは、設置面に設置される基台部と、この基台部に連結されて設置面に向けて倒れ、または、起きる脚部と、この脚部に連結されて前記脚部が倒れることで下降し、または、前記脚部が起きることで上昇する椅子部と、を有する歯科用椅子の状態を変化させる歯科用椅子フットスイッチであって、倒れた前記脚部の周囲において前記基台部の一部に形成された、ことを特徴とする。【００１１】
本開示に係る歯科用椅子フットスイッチは、前記基台部のうち、前記脚部が倒れる側である後方の端部に配置された、ことを特徴とする。【００１２】
本開示に係る歯科用椅子フットスイッチは、前記椅子部の幅方向に向けて長手の本体部と、当該本体部の長手方向に並べて配置された複数の操作部と、を有し、前記操作部の少なくとも一つがジョイスティック式である、ことを特徴とする。【００１３】
本開示に係る歯科用椅子フットスイッチは、前記本体部が、前記基台部に対して着脱されるカバー部と、このカバー部に覆われ、前記操作部と連動する前記歯科用椅子の状態を選択するための選択手段と、を有する、ことを特徴とする。【００１４】
本開示に係る歯科用椅子は、上記した歯科用椅子フットスイッチを有する、ことを特徴とする。
【発明の効果】
【００１５】
本開示に係る歯科用椅子フットスイッチは、倒れた脚部の周囲において基台部の一部に形成されている。すなわち、歯科用椅子フットスイッチは、設置面に向けて倒れた状態の脚部と干渉しない位置に配置されているため、昇降する歯科用椅子と干渉しない。また、歯科用椅子フットスイッチは、基台部の一部に形成され、操作の際、歯科用フットスイッチ自身が不本意に移動することがないため、施術者が操作し易い種類のものを選択することができる。
【図面の簡単な説明】
【００１６】
【図１】図１は、本開示の実施形態に係る歯科用椅子フットスイッチが備えられた歯科用椅子を有する歯科診療装置の斜視図である。
【図２Ａ】図２Ａは、本開示の実施形態に係る歯科用椅子フットスイッチが備えられた歯科用椅子の外観が示された後面図である。
【図２Ｂ】図２Ｂは、本開示の実施形態に係る歯科用椅子フットスイッチが備えられた歯科用椅子の外観が示された側面図である。
【図３Ａ】図３Ａは、本開示の実施形態に係る歯科用椅子フットスイッチが備えられた歯科用椅子の断面が示された歯科用椅子が最下方に配置された状態の側面断面図である。
【図３Ｂ】図３Ｂは、本開示の実施形態に係る歯科用椅子フットスイッチが備えられた歯科用椅子の断面が示された歯科用椅子が最上方に配置された状態の側面断面図である。
【図４Ａ】図４Ａは、本開示の実施形態に係る歯科用椅子フットスイッチが備えられた歯科用椅子が最上方に配置され、カバー部が外された状態の外観が示された斜視図である。
【図４Ｂ】図４Ｂは、本開示の実施形態に係る歯科用椅子フットスイッチが備えられた歯科用椅子が最上方に配置され、カバー部が外された状態の外観が示された後面図である。
【発明を実施するための形態】
【００１７】
本開示に係る歯科用椅子フットスイッチは、基台部のうち、脚部が倒れる側である後方の端部に配置されている。この構成により、歯科用椅子フットスイッチは、歯科用椅子の背もたれ部の背面側の近傍に配置され、この位置は、施術中における施術者の脚が配置される位置と概ね一致する。したがって、施術者が操作し易い。
【００１８】
本開示に係る歯科用椅子フットスイッチは、椅子部の幅方向に向けて長手の本体部と、当該本体部の長手方向に並べて配置された複数の操作部とを有している。すなわち、複数の操作部が、歯科用椅子の昇降の妨げとならない位置であって、かつ、施術者にとって操作しやすい位置に配置される。また、操作部ごとに様々な機能を連動させることができる。
【００１９】
また、操作部の少なくとも一つがジョイスティック式である。この構成により、操作スティックの傾倒方向と歯科用椅子の昇降方向などとが一致するため、施術者は、操作に基づく歯科用椅子の動作を観念し易い。したがって、施術者は、施術中に目視せずに歯科用椅子フットスイッチを操作することができる。
【００２０】
本開示に係る歯科用椅子フットスイッチは、本体部が、基台部に対して着脱されるカバー部と、このカバー部に覆われ、操作部と連動する歯科用椅子の状態を選択するための選択手段とを有している。この構成により、施術者や作業者は、カバー部を外すことで、容易に選択手段を操作することができる。
【００２１】
本開示に係る歯科用椅子は、上記した歯科用椅子フットスイッチと同じ効果を生じさせることができる。
【００２２】
以下は、本開示の実施形態に係る歯科用椅子フットスイッチ、および、この歯科用椅子フットスイッチを有する歯科用椅子の説明である。図１は、歯科用椅子１０を有する歯科診療装置１の外観が示されている。図２Ａ、図２Ｂ、は、歯科用椅子１０の外観が示され、図３Ａ、図３Ｂは、歯科用椅子１０の側面断面が示されている。図２４、図４Ｂ、は、歯科用椅子１０における歯科用フットスイッチ２７の一態様が示されている。以下では、図１に示されているとおり、歯科用椅子１０の正面が前方、背面が後方、歯科用椅子１０の幅方向である側方のうちの一方側が左方、他方側が右方、歯科用椅子１０が昇降する方向が上方または下方である。
【００２３】
図１に示されているとおり、歯科診療装置１は、患者である被施術者が横たわる歯科用椅子１０と、被施術者が口内に含んだ水を吐き出すためのスピットン２と、被施術者の口元を照らすデンタルライト３と、種々のインスツルメント（図示省略。）が保持されるインスツルメント保持装置４と、このインスツルメント保持装置４と同様にインスツルメントを保持し、デンタルライト３やインスツルメントなどを制御するパネルが備えられたドクターテーブル５とを有している。スピットン２、デンタルライト３、インスツルメント保持装置４およびドクターテーブル５は、本体装置６に支持されている。この本体装置６は、歯科用椅子１０の隣に設置されている。
【００２４】
スピットン２はボウルであり、本体装置６の上に設置されている。デンタルライト３は、本体装置６に取り付けられた第一可動アーム７の先端に接続されている。インスツルメント保持装置４は、本体装置６に取り付けられた第二可動アーム８の先端に接続されている。ドクターテーブル５は、本体装置６に取り付けられた第三可動アーム９の先端に接続されている。各可動アーム７，８，９は、複数の関節を有している。そのため、デンタルライト３、インスツルメント保持装置４およびドクターテーブル５は、各可動アーム７，８，９を介して、自在に移動することができる。なお、インスツルメントは、例えば、タービン、マイクロモーター、エアモーター、スケーラー、シリンジなどである。
【００２５】
図２Ａ、図２Ｂ、図３Ａ、図３Ｂに示されているとおり、歯科用椅子１０は、設置面に設置される基台部１１と、この基台部１１に連結された脚部１４と、この脚部１４に連結された椅子部１５と、この椅子部１５を昇降させる昇降機構２２と、歯科用椅子１０の状態を変化させる際に操作される歯科用フットスイッチ２７とを有している。
【００２６】
椅子部１５は、前方に向けて伸びた下半身載置部１６と、この下半身載置部１６の後方に配置された背もたれ部１９と、この背もたれ部１９の上端に連結されたヘッドレスト２０と、下半身載置部１６の側方に配置されたひじ掛け部２１とを有している。下半身載置部１６は、被施術者の臀部および大腿が載置される後方側載置部１７と、被施術者の下腿が載置される前方側載置部１８とが一体で形成されている。背もたれ部１９は、下半身載置部１６に対して倒れ、または、起きる。ヘッドレスト２０は、背もたれ部１９に対して倒れ、起き、昇降する。
【００２７】
したがって、歯科用椅子１０の動作は、昇降、傾倒および起伏であり、これらの動作に基づいて、歯科用椅子１０は、椅子部１５が下降して最下方に配置された状態、椅子部１５が上昇して最上方に配置された状態、背もたれ部１９が起きた状態、背もたれ部１９が倒れた状態、ヘッドレスト２０が起きた状態、ヘッドレスト２０が倒れた状態、ヘッドレスト２０が下降して最下方に配置された状態、ヘッドレスト２０が上昇して最上方に配置された状態、各状態における最下方から最上方までの間の任意の位置に各部が配置された状態があり、各状態の組み合わせによって、歯科用椅子１０は種々の状態に変化する。なお、ヘッドレスト２０が作動しない歯科用椅子であれば、ヘッドレスト２０の動作に基づいた歯科用椅子の状態は無い。
【００２８】
さらに、歯科用椅子１０の状態は、例えば、デンタルライト３の照度、インスツルメントの制御、スピットン２における出水などによっても変化する。
【００２９】
基台部１１は、平板状の板状基台部１２と、この板状基台部１２の前方上部に取り付けられた基台本体部１３とを有している。板状基台部１２は、前後に長手のほぼ長方形であり、内部に通線部（図示省略。）を有している。基台本体部１３は、例えば、歯科用椅子１０の状態を変化させるための駆動部を駆動させる電源部（図示省略。）や制御部（図示省略。）などが内蔵されている。
【００３０】
脚部１４は、基台部１１を支点として設置面に向けて倒れ、または、起きて設置面から離れる構成であるため、このことによって、歯科用椅子１０が昇降する。詳説すれば、脚部１４は、昇降機構２２を有し、この昇降機構２２は、平行リンクと、この平行リンクを作動させる駆動部２６とによって実現されている。平行リンクは、長手の駆動リンク部２３と、長手の従動リンク部２４と、椅子部１５の下部に連結された椅子側リンク部２５とから構成されている。駆動リンク部２３および従動リンク部２４は、一端が基台部１１に連結され、他端が椅子側リンク部２５に連結されている。駆動部２６は、例えば油圧式、空圧式のピストンシリンダーであり、一端が基台部１１に連結され、他端が駆動リンク部２３に連結されている。
【００３１】
ピストンシリンダーが伸長することで、駆動リンク部２３と共に従動リンク部２４が起き上がり、同時に椅子側リンク部２５（椅子部１５）が設置面から離れる。したがって、椅子部１５が上昇する。脚部１４が起きることで、椅子部１５が上昇するため、椅子部１５は、弧状の軌道に沿って前進しながら上昇する。ピストンシリンダーが収縮すると、駆動リンク部２３と共に従動リンク部２４が倒れ、同時に椅子側リンク部２５（椅子部１５）が設置面に近接する。したがって、椅子部１５が下降する。椅子部１５の軌道は、椅子部１５が上昇する際と同じである。
【００３２】
歯科用フットスイッチ２７は、基台部１１の後方端に配置され、板状基台部１２の一部として構成されている。詳説すれば、歯科用フットスイッチ２７は、椅子部１５が最下方に下降して、倒れた状態の脚部１４の後方に配置されている。換言すれば、歯科用フットスイッチ２７は、脚部１４および椅子部１５と干渉しない位置に配置されている。
【００３３】
図２Ａ、図２Ｂ、図３Ａ、図３Ｂ、図４Ａ、図４Ｂに示されているとおり、歯科用フットスイッチ２７は、幅方向に向けて長手で、かつ、後方に張り出して湾曲した本体部２８と、この本体部２８の長手方向に並べて配置された複数の操作部３０ａ，３０ｂ，３０ｃとを有している。本体部２８は、基台部１１の板状基台部１２に対して着脱されるカバー部２９と、このカバー部２９に覆われて操作部３０と連動する歯科用椅子１０の状態を選択するための選択手段３１とを有している。カバー部２９は、板状基台部１２から上方に隆起した形状であり、操作部３０ａ，３０ｂ，３０ｃの数に応じた複数の孔が、後面に形成されている。操作部３０ａ，３０ｂ，３０ｃは、例えばジョイスティック式である。操作部３０ａ，３０ｂ，３０ｃは棒状であり本体部２８から後方に向けて、水平よりもわずかに上向きに突出し、かつ、互いが離れる方向に僅かに放射状に向いている。操作部３０ａ，３０ｂ，３０ｃは、上下左右に倒れる。なお、操作部の数、間隔、角度は任意である。
【００３４】
選択手段３１は、操作部３０ａ，３０ｂ，３０ｃと、歯科用椅子１０の昇降、背もたれ部１９の動作およびヘッドレスト２０の動作と、を関連付けるものである。選択手段３１は、例えば、回路基板、ディップスイッチ、配線を接続するコネクターなどであり、結線の変更、ディップスイッチの選択、配線の接続によって、操作部３０ａ，３０ｂ，３０ｃごとに、歯科用椅子１０のどの動作と連動するかが設定される。例えば、第一の操作部３０ａに歯科用椅子１０の昇降を連動させ、第二の操作部３０ｂに背もたれ部１９の動作を連動させ、第三の操作部３０ｃにヘッドレスト２０の動作を連動させる。この他、例えば、予め制御部に記録された歯科用椅子１０の高さ、および、背もたれ部１９の角度に基づいた状態への動作に第一の操作部３０ａを連動させ、直前の状態に歯科用椅子１０を戻す動作に第二の操作部３０ｂを連動させる。さらに、例えば、デンタルライト３の照度の調整に第一の操作部３０ａを連動させ、インスツルメントの制御に第二の操作部３０ｂを連動させ、スピットン２の出水に第三の操作部３０ｃを連動させる。なお、配線は、板状基台部１２の通線部に通され、基台本体部１３の制御部につながっている。
【００３５】
上記のとおり、歯科用フットスイッチ２７および歯科用椅子１０が構成されている。次に、歯科用フットスイッチ２７および歯科用椅子１０の効果を説明する。
【００３６】
歯科用フットスイッチ２７は、歯科用椅子１０における基台部１１の後方端であって、椅子部１５が最下方に下降して、倒れた状態の脚部１４の後方に配置され、板状基台部１２の一部として構成されている（図２Ａ、図２Ｂ、参照。）。すなわち、歯科用フットスイッチ２７は、脚部１４および椅子部１５と干渉しない位置に配置されている。したがって、いわゆるリンク式歯科用椅子であっても、椅子部１５と歯科用フットスイッチ２７とが干渉しない。
【００３７】
また、歯科用フットスイッチ２７は、板状基台部１２の一部として構成され、操作の際、歯科用フットスイッチ２７自身が不本意に移動することがないため、施術者が操作し易い種類の歯科用フットスイッチ２７を選択することができる。
【００３８】
例えば、操作部３０ａ，３０ｂ，３０ｃがジョイスティック式であれば、操作部３０ａ，３０ｂ，３０ｃの傾倒方向と、歯科用椅子１０の動作の方向とが一致するため、施術者は、操作に基づく歯科用椅子１０の動作を観念し易い。例えば、第一の操作部３０ａを上向きに倒せば、歯科用椅子１０が上昇し、第一の操作部３０ａを下向きに倒せば、歯科用椅子１０が下降する。また、第二の操作部３０ｂを上向きに倒せば、背もたれ部１９が起き、第二の操作部３０ｂを下向きに倒せば、背もたれ部１９が倒れる。また、第三の操作部３０ｃを上向きに倒せば、ヘッドレスト２０が起き、または、上昇し、第三の操作部３０ｃを下向きに倒せば、ヘッドレスト２０が倒れ、または、下降する。したがって、施術者は、施術中に目視せずに歯科用椅子フットスイッチ２７を操作することができる。なお、操作部３０ａ，３０ｂ，３０ｃを左右側方に倒すことで、歯科用椅子１０を作動させてもよい。
【００３９】
また、歯科用フットスイッチ２７は、基台部１１の後方端に配置されているため、歯科用椅子１０の背もたれ部１９の背面側の近傍に配置され、この位置は、施術中における施術者の脚が配置される位置と概ね一致する。したがって、施術者が操作し易い。
【００４０】
歯科用椅子フットスイッチ２７は、幅方向に向けて長手の本体部２８と、この本体部２８の長手方向に並べて配置された複数の操作部３０ａ，３０ｂ，３０ｃとを有している（図２Ａ、図２Ｂ、参照。）。すなわち、複数の操作部３０ａ，３０ｂ，３０ｃが、歯科用椅子１０の昇降の妨げとならない位置であって、かつ、施術者にとって操作しやすい位置に配置される。また、施術者の好みに応じて、操作部３０ａ，３０ｂ，３０ｃごとに、歯科用椅子１０の様々な動作を連動させることができる。
【００４１】
歯科用椅子フットスイッチ２７は、本体部２８が、基台部１１の板状基台部１２に対して着脱されるカバー部２９と、このカバー部２９に覆われて操作部３０と連動する歯科用椅子１０の動作を選択するための選択手段３１とを有している（図３Ａ、図３Ｂ、図４Ａ、図４Ｂ参照。）。この構成により、施術者や作業者は、カバー部２９を外すことで、容易に選択手段３１を操作することができ、操作部３０ａ，３０ｂ，３０ｃごとに、歯科用椅子１０のどの動作と連動するかを、簡単な作業で設定することができる。
【００４２】
歯科用椅子１０は、上記した歯科用椅子フットスイッチ２７と同じ効果を生じさせることができる。
【００４３】
本開示の他の実施形態として、歯科用フットスイッチが、既存の歯科用椅子に後から取り付ける構成であってもよい。この場合、歯科用フットスイッチは、脚部および椅子部と干渉しない位置に配置される。また、他の実施形態として、操作部が側方に向けられていてもよく、また、歯科用フットスイッチが、基台部の側方に配置されていてもよい。ただし、施術者が移動する際の妨げにならないことを条件とする。また、他の実施形態として、歯科用フットスイッチは押圧式であってもよい。また、他の実施形態として、操作部は、少なくとも一つがジョイスティック式であり、他が、例えば、下に向かって押下する踏み込み式、ボリュームスイッチ式、押し続けることで歯科用椅子を動作させる押圧式、押すごとに歯科用椅子の作動および停止が切り替わるＯＮ／ＯＦＦ式などであってもよい。
【００４４】
以上、本開示の実施形態を詳述したが、本開示は上記実施形態に限定されるものではない。そして本開示は、特許請求の範囲に記載された事項を逸脱することがなければ、種々の設計変更を行うことが可能である。
【符号の説明】
【００４５】
１    歯科診療装置
２    スピットン
３    デンタルライト
４    インスツルメント保持装置
５    ドクターテーブル
６    本体装置
７    第一可動アーム
８    第二可動アーム
９    第三可動アーム
１０  歯科用椅子
１１  基台部
１２  板状基台部
１３  基台本体部
１４  脚部
１５  椅子部
１６  下半身載置部
１７  後方側載置部
１８  前方側載置部
１９  背もたれ部
２０  ヘッドレスト
２１  ひじ掛け部
２２  昇降機構
２３  駆動リンク部
２４  従動リンク部
２５  椅子側リンク部
２６  駆動部
２７  歯科用椅子フットスイッチ
２８  本体部
２９  カバー部
３０ａ，３０ｂ，３０ｃ  操作部
３１  選択手段
【図１】
2020039585.tif 000003
【図２Ａ】
2020039585.tif 000004
【図２Ｂ】
2020039585.tif 000005
【図３Ａ】
2020039585.tif 000006
【図３Ｂ】
2020039585.tif 000007
【図４Ａ】
2020039585.tif 000008
【図４Ｂ】
2020039585.tif 000009
【手続補正書】
【提出日】平成31年3月20日(2019.3.20)
【手続補正２】
【補正対象書類名】特許請求の範囲
【補正対象項目名】全文
【補正方法】変更
【補正の内容】
【特許請求の範囲】
【請求項１】
設置面に設置される基台部と、
この基台部に連結されて設置面に向けて倒れ、または、起きる脚部と、
この脚部に連結されて前記脚部が倒れることで下降し、または、前記脚部が起きることで上昇する椅子部と、を有する歯科用椅子の状態を変化させる歯科用椅子フットスイッチであって、
倒れた前記脚部の周囲において前記基台部の一部に形成され、
前記椅子部の幅方向に向けて長手の本体部と、
当該本体部の長手方向に並べて配置された複数の操作部と、を有する、
ことを特徴とする歯科用椅子フットスイッチ。
【請求項２】
前記操作部の少なくとも一つがジョイスティック式である、
ことを特徴とする請求項１に記載された歯科用椅子フットスイッチ。
【請求項３】
前記基台部のうち、前記脚部が倒れる側である後方の端部に配置された、
ことを特徴とする請求項１または請求項２に記載された歯科用椅子フットスイッチ。
【請求項４】
前記本体部が、
前記基台部に対して着脱されるカバー部と、
このカバー部に覆われ、前記操作部と連動する前記歯科用椅子の動作を選択するための選択手段と、を有する、
ことを特徴とする請求項１から請求項３のいずれか１項に記載された歯科用椅子フットスイッチ。
【請求項５】
請求項１から請求項４のいずれか１項に記載された歯科用椅子フットスイッチを有する、
ことを特徴とする歯科用椅子。
【手続補正書】
【提出日】令和2年1月31日(2020.1.31)
【手続補正２】
【補正対象書類名】特許請求の範囲
【補正対象項目名】全文
【補正方法】変更
【補正の内容】
【特許請求の範囲】
【請求項１】
設置面に設置される基台部と、
この基台部に連結されて設置面に向けて倒れ、または、起きる脚部と、
この脚部に連結されて前記脚部が倒れることで下降し、または、前記脚部が起きることで上昇する椅子部と、を有する歯科用椅子の状態を変化させる歯科用椅子フットスイッチであって、
倒れた前記脚部の周囲において前記基台部の一部に形成されると共に、前記基台部のうち、前記脚部が倒れる側である後方の端部に配置され、
前記椅子部の幅方向に向けて長手の本体部と、
当該本体部の長手方向に並べて配置された複数の操作部と、を有し、
前記操作部の少なくとも一つがジョイスティック式である、
ことを特徴とする歯科用椅子フットスイッチ。
【請求項２】
設置面に設置される基台部と、
この基台部に連結されて設置面に向けて倒れ、または、起きる脚部と、
この脚部に連結されて前記脚部が倒れることで下降し、または、前記脚部が起きることで上昇する椅子部と、を有する歯科用椅子の状態を変化させる歯科用椅子フットスイッチであって、
倒れた前記脚部の周囲において前記基台部の一部に固定され、
前記椅子部の幅方向に向けて長手の本体部と、
当該本体部の長手方向に並べて配置された複数の操作部と、を有し、
前記操作部の少なくとも一つがジョイスティック式である、
ことを特徴とする歯科用椅子フットスイッチ。
【請求項３】
前記基台部のうち、前記脚部が倒れる側である後方の端部に配置された、
ことを特徴とする請求項２に記載された歯科用椅子フットスイッチ。
【請求項４】
前記操作部が、後方に向けて突出した、
ことを特徴とする請求項１から請求項３のいずれか１項に記載された歯科用椅子フットスイッチ。
【請求項５】
前記本体部が、
前記基台部に対して着脱されるカバー部と、
このカバー部に覆われ、前記操作部と連動する前記歯科用椅子の動作を選択するための選択手段と、を有する、
ことを特徴とする請求項１から請求項４のいずれか１項に記載された歯科用椅子フットスイッチ。
【請求項６】
設置面に設置される基台部と、
この基台部に連結されて設置面に向けて倒れ、または、起きる脚部と、
この脚部に連結されて前記脚部が倒れることで下降し、または、前記脚部が起きることで上昇する椅子部と、を有する歯科用椅子の状態を変化させる歯科用椅子フットスイッチであって、
倒れた前記脚部の周囲において前記基台部の一部に形成され、
前記椅子部の幅方向に向けて長手の本体部と、
当該本体部の長手方向に並べて配置された複数の操作部と、を有し、
前記本体部が、
前記基台部に対して着脱されるカバー部と、
このカバー部に覆われ、前記操作部と連動する前記歯科用椅子の動作を選択するための選択手段と、を有する、
ことを特徴とする歯科用椅子フットスイッチ。
【請求項７】
前記操作部の少なくとも一つがジョイスティック式である、
ことを特徴とする請求項６に記載された歯科用椅子フットスイッチ。
【請求項８】
前記基台部のうち、前記脚部が倒れる側である後方の端部に配置された、
ことを特徴とする請求項６または請求項７に記載された歯科用椅子フットスイッチ。
【請求項９】
請求項１から請求項８のいずれか１項に記載された歯科用椅子フットスイッチを有する、
ことを特徴とする歯科用椅子。
【国際調査報告】
2020039585.tif 000010
2020039585.tif 000011